(57)【特許請求の範囲】
【請求項１】
平板状のプロテクタ本体の幅方向の両側にあって各々が所定幅を有する両側端部の間に、プロテクタ本体の長手方向に沿って適宜な間隔でかつ前記幅方向に延伸された複数のスリットと、前記長手方向に沿って設けられた複数の屈曲部とを形成し、前記屈曲部を変形させてワイヤハーネスを挿通する挿通開口部が形成されるワイヤハーネス用プロテクタであって、
平板状のプロテクタ本体には前記スリットにより複数の矩形板状のハーネス用の受け底板と押さえ天板とが交互に形成され、
前記受け底板には、両側端部近傍に底溝を有する両側屈曲部が前記長手方向に設けられると共に、前記幅方向の中央において前記長手方向を向く中心軸上に、天溝を有する中央屈曲部が設けられ、
前記押さえ天板には、該押さえ天板を二分するために、隣接する前記スリットに連通するセンタスリットが前記中心軸を跨いで設けられている
ことを特徴とするワイヤハーネス用プロテクタ。
【請求項２】
前記プロテクタ本体内に前記ワイヤハーネスを上方から収納できるように挿通開口部が開放された収納形状を保持するために、
前記両側端部のそれぞれに係止可能であると共にその係止が解除可能であるフックを、前記受け底板の裏面に、前記両側端部のそれぞれに対応させて設け、各フックを前記両側端部のそれぞれに係止する
ことを特徴とする請求項１記載のワイヤハーネス用プロテクタ。
【発明の詳細な説明】
【０００１】
【発明の属する技術分野】
本発明は、自動車の電気系統の接続に使用されるワイヤハーネス等の線条体を収納して車体や機器等に取り付け、その線条体の配設姿勢を整えて保持するワイヤハーネス用プロテクタに関する。
【０００２】
【従来の技術】
従来から自動車の電気系統の接続に使用されるワイヤハーネスの所定長さを収容して車体等に取り付けることで、ワイヤハーネスの保護と固定を行うワイヤハーネス用プロテクタに関しては、例えば、特開平７−２１２９３６号公報に開示されたものが知られている。
【０００３】
図６に示したように従来のワイヤハーネス用プロテクタ５１は、例えば合成樹脂等の弾性体から成るプロテクタ本体５２の長手方向に沿って適宜な間隔でかつ幅方向に延伸された２本のスリット５３を備えている。また、長手方向に沿って設けられた両側屈曲部５４と中央屈曲部５５からなる複数の屈曲部を備え、この屈曲部の変形によりワイヤハーネスＷを挿通する挿通開口部５６が形成される。また、底板５７の両側には長手方向に側板５８が垂直に立設され、さらに側板５８の上端には複数の押さえ片５９が内側に向いて直角に設けられている。
【０００４】
さらに詳しくは、底板５７のスリット５３間に挟まれて副底板部６１が形成され、この副底板部６１の両端の側板５８との接辺には下面に凹溝５４ａ（図７参照）を有する上記両側屈曲部５４が設けられている。また、残る底板は主底板部６０となり、中心には下部に凹溝５５ａを有する中央屈曲部５５が設けられている。
【０００５】
上記構成のワイヤハーネス用プロテクタ５１においては、図７に示したように先ず主底板部６０の両側を中央屈曲部５５をヒンジとして下方へ折り曲げると、副底板部６１は両側屈曲部５４をヒンジとして下方へ湾曲する。そして、主底板部６０は凹溝５５ａの幅により直角以上に曲がらないようになっており、副底板６１の弾性によってワイヤハーネス用プロテクタ５１は所定形状に保たれる。
【０００６】
すると、図８右図のように両側の押さえ板５９の間隔が開いて挿通開口部５６が出現するのでワイヤハーネスＷをＵ字状になった主底板部６０、側板５８、押さえ片５９の中に容易に挿通することができる。そして、屈曲された主底板部６０を平らに戻せば副底板部６１も平らに戻り、図６および図８左図に示す形状になるからワイヤハーネスＷはワイヤハーネス用プロテクタ５１に覆われた状態になる。
【０００７】
【発明が解決しようとする課題】
しかしながら、上記従来のワイヤハーネス用プロテクタ５１においては、図７のような開放状態を保つ必要があるので、中央屈曲部５５および両側屈曲部５４の凹溝５４ａ、５５ａを深くして完全なヒンジ構造を形成しているため、プロテクタ本体の剛性が弱い上に、両側屈曲部５４には副底板部６１の弾性に伴う引張力がかかるのでヒンジ切れの可能性があり、信頼性の面で問題があった。
【０００８】
また、ワイヤハーネスＷの直線部には使用できるが、曲折部には使用することができず、用途面で限定されるという問題があった。
また、製造上複雑な金型になるので専用の設備が必要になる上、かさばる形状なので保管時や運搬時にスペースを食うという問題があった。
さらに、ワイヤハーネスＷの容量が少ないときはデッドスペースが多くなるので、種々な大きさのものを揃える必要があり、種類が多くなるのに伴い部品管理が煩雑になると共に、コストアップにつながるという問題があった。
【０００９】
本発明の課題は、上記問題点に鑑みてなされたものであり、剛性がありワイヤハーネスの曲折部にも使用可能であり、製造と保管および運搬が容易であり、信頼性が高く、汎用性があり、さらに低原価なワイヤハーネス用プロテクタを提供することである。
【００１０】
【課題を解決するための手段】
本発明に係わる上記課題は、以下の１）、２）項によって解決することができる。
１）  平板状のプロテクタ本体の幅方向の両側にあって各々が所定幅を有する両側端部の間に、プロテクタ本体の長手方向に沿って適宜な間隔でかつ前記幅方向に延伸された複数のスリットと、前記長手方向に沿って設けられた複数の屈曲部とを形成し、前記屈曲部を変形させてワイヤハーネスを挿通する挿通開口部が形成されるワイヤハーネス用プロテクタであって、
平板状のプロテクタ本体には前記スリットにより複数の矩形板状のハーネス用の受け底板と押さえ天板とが交互に形成され、
前記受け底板には、両側端部近傍に底溝を有する両側屈曲部が前記長手方向に設けられると共に、前記幅方向の中央において前記長手方向を向く中心軸上に、天溝を有する中央屈曲部が設けられ、
前記押さえ天板には、該押さえ天板を二分するために、隣接する前記スリットに連通するセンタスリットが前記中心軸を跨いで設けられている
ことを特徴とするワイヤハーネス用プロテクタ。
２）  前記ワイヤハーネス用プロテクタにおいて、好ましくは
前記プロテクタ本体内に前記ワイヤハーネスを上方から収納できるように挿通開口部が開放された収納形状を保持するために、
前記両側端部のそれぞれに係止可能であると共にその係止が解除可能であるフックを、前記受け底板の裏面に、前記両側端部のそれぞれに対応させて設け、各フックを前記両側端部のそれぞれに係止する
ことを特徴とするワイヤハーネス用プロテクタ。
【００１１】
上記構成のワイヤハーネス用プロテクタによれば、平板状のプロテクタ本体の幅方向の両側にあって各々が所定幅を有する両側端部の間に、プロテクタ本体の長手方向に沿って適宜な間隔でかつ前記幅方向に延伸された複数のスリットと、前記長手方向に沿って設けられた複数の屈曲部とを形成し、前記屈曲部を変形させてワイヤハーネスを挿通する挿通開口部が形成されるワイヤハーネス用プロテクタであって、平板状のプロテクタ本体には前記スリットにより複数の矩形板状のハーネス用の受け底板と押さえ天板とが交互に形成され、前記受け底板には、両側端部近傍に底溝を有する両側屈曲部が前記長手方向に設けられると共に、前記幅方向の中央において前記長手方向を向く中心軸上に、天溝を有する中央屈曲部が設けられ、前記押さえ天板には、該押さえ天板を二分するために、隣接する前記スリットに連通するセンタスリットが前記中心軸を跨いで設けられている。
従って、プロテクタ本体両側端部の幅方向に圧縮力を加えると、受け底板は両側屈曲部と中央屈曲部が屈曲されることにより下方向にＶ字型に屈曲されると共に、両側端部も下方に屈曲されて略垂直になる。よって、押さえ天板はセンタスリットから分離されて両側に分かれて直立状態となり略Ｕ字溝状の上方に開放された挿通開口部が形成されるので、ワイヤハーネスを容易に挿通でき、作業効率を向上させることができる。
【００１２】
また、両側端部に加えた圧縮力をワイヤハーネス挿通後に除去すれば両側屈曲部および中央屈曲部の復元力によって受け底板および押さえ天板は元の平板状に戻ろうとするので、ワイヤハーネスの容量によって適宜な位置まで戻ってワイヤハーネスを押さえて保持する。従って、プロテクタ本体内でワイヤハーネスが横ずれするようなデッドスペースを生じることなく、様々な容量のワイヤハーネスに対応できるので、数多くの種類を揃える必要はなく、部品管理の簡素化を図ることができる。
また、スリットの両脇のプロテクタ本体の両側端部は柔軟性があるから、ワイヤハーネスの屈折に対しても対応できる。また、両側屈曲部および中央屈曲部には復元力を持たせる必要があるので、ある程度の剛性があるからヒンジ切れは起こさない。よって、信頼性を向上することができると共に汎用性に優れ、かつコスト低減を図ることができる。
更に、基本形状が平板状であるから、保管時や運搬時に積み重ねることができ、取扱性の向上を図ることができる。
【００１３】
また、前記プロテクタ本体内に前記ワイヤハーネスを上方から収納できるように挿通開口部が開放された収納形状を保持するために、前記両側端部のそれぞれに係止可能であると共にその係止が解除可能であるフックを、前記受け底板の裏面に、前記両側端部のそれぞれに対応させて設け、各フックを前記両側端部のそれぞれに係止するので、ワイヤハーネスの挿通作業が容易となり、作業効率を一層向上させることができる。
【００１４】
【発明の実施の形態】
以下、本発明のワイヤハーネス用プロテクタの一実施形態を図１乃至図５に基づいて詳細に説明する。図１は本発明のワイヤハーネス用プロテクタの一実施形態の基本形状を示す斜視図、図２は図１における変形の途中状態を示す作動説明図、図３は図１におけるワイヤハーネスを収納する収納形状を示す斜視図、図４は図３におけるワイヤハーネスを保持した保持形状を示す斜視図、図５は本発明のワイヤハーネス用プロテクタの別の実施形態を示す作動説明図である。
【００１５】
図１および図２に示すように、本発明のワイヤハーネス用プロテクタ１は、合成樹脂等から成る平板状のプロテクタ本体２の長手方向に沿って適宜な間隔で、かつ幅方向に延伸された複数のスリット３と、長手方向に沿って設けられた両側屈曲部５と中央屈曲部６からなる複数の屈曲部の変形により、上方に開放された挿通開口部１１が形成される。
【００１６】
前記プロテクタ本体２には、スリット３により複数の矩形板状のハーネス用の受け底板７と押さえ天板８とが交互に形成され、受け底板７の両側端部近傍には底溝５ａを有する両側屈曲部５が軸方向に沿って設けられ、中心軸上には天溝６ａを有する中央屈曲部６が設けられている。
また、押さえ天板８には、中心軸を跨いでクランク状またはＳ字状のセンタースリット９が設けられ、両側はスリット３外側の両側端部１０に一体的に接続されている。なお、両側屈曲部５および中央屈曲部６には復元力を持たせたいので、受け底板７および押さえ天板８の肉厚に対する底溝５ａおよび天溝６ａの深さは、屈曲方向を決める程度の浅めに設定されている。
【００１７】
上記構成のワイヤハーネス用プロテクタ１においては、基本形状は図１に示したような平板状をしているが、両側の両側端部１０、１０に中心線に向かって圧縮力Ｆを加えると、受け底板７が両側屈曲部５と中央屈曲部６で屈曲され、図２に示すように下方にＶ字状に変形する。また、両側端部１０、１０が下方に撓むことで、押さえ天板８はセンタスリット９で分かれて上方に逆Ｖ字状に変形する。そして、さらに両側端部１０、１０に中心軸に向かって圧縮力Ｆを加えると、受け底板７および両側端部１０はさらに撓み、図３に示すように上方に開放された略Ｕ字溝状の挿通開口部１１が形成される。
【００１８】
次に、図３に示すようにワイヤハーネスＷを開放された挿通開口部１１の上方から受け底板７上に挿通して、受け底板７に加えた圧縮力Ｆを解除することで、両側屈曲部５および中央屈曲部６の復元力によって受け底板７、押さえ天板８および両側端部１０は元の平板状に戻ろうとする。
すると、図４に示すように、挿通開口部１１内にワイヤハーネスＷが収納されているので、受け底板７および押さえ天板８はワイヤハーネスＷの容量に応じた位置にとどまって保持形状となり、ワイヤハーネスＷに上下方向から適宜な押圧力を加えながら、ワイヤハーネスＷを保持することになる。
【００１９】
また、ワイヤハーネスＷを湾曲した壁面等に沿って屈曲させたい場合は、プロテクタ本体２が可撓性を有するため、湾曲面に沿わせるように取り付けることができる。但し、受け底板７および押さえ天板８は略Ｖ字形に屈曲されているので、実際にはスリット３の両端の両側端部１０、１０が屈曲されて類似湾曲面形状に変形する。
【００２０】
上述したように本実施形態のワイヤハーネス用プロテクタ１においては、平板状のプロテクタ本体２上に複数の矩形板状の受け底板７と押さえ天板８がスリット３により交互に形成され、受け底板７の両側端部近傍に底溝５ａを有する両側屈曲部５が軸方向に設けられ、中心軸上に天溝６ａを有する中央屈曲部６が設けられている。また、押さえ天板８には中心軸を跨いでクランク状またはＳ字状のセンタースリット９が設けられ、両側がスリット３外側の両側端部１０に一体的に接続されている。
【００２１】
従って、プロテクタ本体２の両側端部１０に中心軸方向に向かって圧縮力Ｆを加えると、両側屈曲部５と中央屈曲部６が屈曲されることにより受け底板７が下方向にＶ字状に屈曲されると共に、両側端部１０も下方に屈曲されて略垂直状態となる。これにより、押さえ天板８がセンタースリット９から分離されて両側に分かれて直立するので、上方に開放された略Ｕ字溝状の挿通開口部１１が形成される。よって、挿通開口部１１にワイヤハーネスＷを容易に挿通することができるので、作業効率を向上させることができる。
【００２２】
また、両側端部１０に加えた圧縮力ＦをワイヤハーネスＷ挿通後に除去すると、両側屈曲部５および中央屈曲部６の復元力によって受け底板７および押さえ天板８は元の平板状に戻ろうとする。これにより、ワイヤハーネスＷの容量によって適宜な位置まで戻ってワイヤハーネスＷを上下方向から押さえて保持するので、プロテクタ本体内でワイヤハーネスＷが横ずれするようなデッドスペースを生じることなく様々な容量のワイヤハーネスＷに対応できる。よって、汎用性に優れたワイヤハーネス用プロテクタを得ることができる。
【００２３】
また、プロテクタ本体２の両側端部１０は、屈曲可能であるから様々な形状の取付面に対応できる。
また、両側屈曲部５および中央屈曲部６は、ワイヤハーネスＷを挟持するだけの復元力を持たせる必要があるので、単に一体化のためのヒンジ構造と異なりある程度の剛性があるからヒンジ切れ等は起こらない。
更に、基本形状が平板状であるので積み重ねができ、保管時や運搬時に場所をとらないので取扱性に優れている。よって、プロテクタの信頼性を向上することができると共にコスト低減を図ることができ、一層汎用性に優れたワイヤハーネス用プロテクタを得ることができる。
【００２４】
次に、本発明のワイヤハーネス用プロテクタの別の実施形態を図５に基づいて説明する。図５に示すように本実施形態のワイヤハーネス用プロテクタ２１は、上述したワイヤハーネス用プロテクタ１と比較して、ワイヤハーネスＷが上方から収納できるように開放された挿通開口部１１を保持するために両側端部１０に係止および解除可能なフック２４が受け底板２７の両側屈曲部５近傍の裏面側に設けられている点が異なっている。よって、同一構成の部分には同一符号を付けることにより詳細な説明を省略する。
【００２５】
本実施形態のワイヤハーネス用プロテクタ２１は、受け底板２７の両側屈曲部５近傍の裏面に、ワイヤハーネスＷを上方から収納できる開放された挿通開口部１１を保持するために、両側端部１０に係止および解除可能なフック２４が設けられている。よって、ワイヤハーネスＷの挿通作業が容易になると共に、作業効率を一層向上させることができる。
また、平板状のプロテクタ本体２２にはスリット３により複数の矩形板状のハーネス用の受け底板２７および押さえ天板８が形成されているので、製造が容易であると共に、保管や運搬時に場所をとらず積み重ねができるので、取扱性に優れている。
【００２６】
なお、本発明のワイヤハーネス用プロテクタは上述した実施形態に限定されるものでなく、適宜な変更を行うことにより他の形態でも実施することができる。例えば、本実施形態では押さえ天板８に設けられたセンタースリット９はクランク形状であったが、Ｓ字形状であっても差し支えない。
【００２７】
【発明の効果】
以上説明したように本発明のワイヤハーネス用プロテクタによれば、平板状のプロテクタ本体の幅方向の両側にあって各々が所定幅を有する両側端部の間に、プロテクタ本体の長手方向に沿って適宜な間隔でかつ前記幅方向に延伸された複数のスリットと、前記長手方向に沿って設けられた複数の屈曲部とを形成し、前記屈曲部を変形させてワイヤハーネスを挿通する挿通開口部が形成されるワイヤハーネス用プロテクタであって、平板状のプロテクタ本体には前記スリットにより複数の矩形板状のハーネス用の受け底板と押さえ天板とが交互に形成され、前記受け底板には、両側端部近傍に底溝を有する両側屈曲部が前記長手方向に設けられると共に、前記幅方向の中央において前記長手方向を向く中心軸上に、天溝を有する中央屈曲部が設けられ、前記押さえ天板には、該押さえ天板を二分するために、隣接する前記スリットに連通するセンタスリットが前記中心軸を跨いで設けられている。
従って、プロテクタ本体の両側端部に中心軸方向に向かって圧縮力を加えると、両側屈曲部と中央屈曲部が屈曲されて、受け底板が下方向にＶ字状に屈曲されると共に両側端部も下方に屈曲される。また、押さえ天板がセンタースリットから分離されて両側に分かれ、上方に開放された略直立状態になり、Ｕ字溝状の挿通開口部が形成される。よって、ワイヤハーネスを容易かつ効率的に挿通でき、作業効率の向上を図ることができる。
【００２８】
また、両側端部に加えた圧縮力をワイヤハーネス挿通後に除去すれば両側屈曲部および中央屈曲部の復元力によって受け底板および押さえ天板は元の平板状に戻ろうとするから、ワイヤハーネスの容量によって適宜な位置まで戻ってワイヤハーネスＷを上下方向から押さえて保持する。
従って、プロテクタ本体内でワイヤハーネスが横ずれするようなデッドスペースを生じることなく様々な容量のワイヤハーネスに対応できる。よって、汎用性に優れたワイヤハーネス用プロテクタを得ることができる。
【００２９】
さらに、スリットの両脇のプロテクタ本体の両側端部は柔軟性があり、ワイヤハーネスの屈曲に対しても対応でき、両側屈曲部および中央屈曲部には復元力を持たせる必要があるので、適宜な剛性があるのでヒンジ切れ等は起こさない。
また、基本形状が平板状であるから積み重ねができるので、保管や運搬時に場所をとらないから取扱性に優れている。よって、信頼性を向上することができると共に取扱性に優れた、かつ原価を低減することができる。
【００３０】
また、前記プロテクタ本体内に前記ワイヤハーネスを上方から収納できるように挿通開口部が開放された収納形状を保持するために、前記両側端部のそれぞれに係止可能であると共にその係止が解除可能であるフックを、前記受け底板の裏面に、前記両側端部のそれぞれに対応させて設け、各フックを前記両側端部のそれぞれに係止するので、収納形状が保持できるのでワイヤハーネスの挿通作業が容易になり、作業効率の一層の向上を図ることができる。
【図面の簡単な説明】
【図１】本発明のワイヤハーネス用プロテクタの一実施形態の基本形状を示す斜視図である。
【図２】図１における変形途中を示す正面図である。
【図３】図１におけるワイヤハーネスを収納する収納形状を示す斜視図である。
【図４】図３におけるワイヤハーネスを保持した保持形状を示す斜視図である。
【図５】本発明のワイヤハーネス用プロテクタの別の実施形態を示す正面図である。
【図６】従来のワイヤハーネス用プロテクタの一例を示す斜視図である。
【図７】図６における自由状態を示す斜視図である。
【図８】図７における作動状態を示す断面図である。
【符号の説明】
１、２１  ワイヤハーネス用プロテクタ
２、２２  プロテクタ本体
３  スリット
５  両側屈曲部
５ａ  底溝
６  中央屈曲部
６ａ  天溝
７、２７  受け底板
８  押さえ天板
９  センタースリット
１０  両側端部
１１  挿通開口部
２４  フック
Ｗ  ワイヤハーネス
【図１】
0004118457.tif 000002
【図２】
0004118457.tif 000003
【図３】
0004118457.tif 000004
【図４】
0004118457.tif 000005
【図５】
0004118457.tif 000006
【図６】
0004118457.tif 000007
【図７】
0004118457.tif 000008
【図８】
0004118457.tif 000009